(57)【特許請求の範囲】
【請求項１】
受信された高周波信号を増幅するＲＦ増幅手段と、
前記ＲＦ増幅手段の出力高周波信号を中間周波数信号に変換する混合手段と、
前記混合手段の出力中間周波数信号を増幅するＩＦ増幅手段と、
前記ＲＦ増幅手段の出力高周波信号の信号レベルを検出する第１レベル検出手段と、
前記混合手段の出力中間周波数信号の信号レベルを検出する第２レベル検出手段と、
前記ＩＦ増幅手段によって増幅された中間周波数信号の信号レベルを検出する第３レベル検出手段と、
前記第１及び第２レベル検出手段の検出信号レベルの少なくとも一方に基づいてＲＦ基準レベルを生成するＲＦ基準レベル生成手段と、
前記第３レベル検出手段の検出信号レベルに応じた値が前記ＲＦ基準レベルに等しくなるように前記ＲＦ増幅手段の増幅利得を制御するＲＦゲイン制御手段と、を備えたことを特徴とするＲＦ受信装置。
【請求項２】
前記第３レベル検出手段の検出信号レベルに応じて前記ＩＦ増幅手段の増幅利得を制御するＩＦゲイン制御手段を更に備えたことを特徴とする請求項１記載のＲＦ受信装置。
【請求項３】
前記ＩＦゲイン制御手段は、前記第３レベル検出手段の検出信号レベルをＩＦ基準レベルと比較する比較器と、前記比較器の出力値を積分する積分器と、前記積分器の出力値を制御値に変換する制御値変換器と、を備え、前記制御値を示すＩＦ利得制御信号を前記ＩＦ増幅手段に供給し、
前記ＲＦゲイン制御手段は、前記積分器の出力値を前記第３レベル検出手段の検出信号レベルに応じた値として入力することを特徴とする請求項１又は２記載のＲＦ受信装置。
【請求項４】
前記ＲＦ基準レベル生成手段は、
前記第１レベル検出手段の検出信号レベルの所定の周期毎のレベル増加、レベル変化なし及びレベル減少を判定し、その判定結果に対応した値を生成する第１増減判定器と、
前記第２レベル検出手段の検出信号レベルの所定の周期毎のレベル増加、レベル変化なし及びレベル減少を判定し、その判定結果に対応した値を生成する第２増減判定器と、
前記第１及び第２増減判定器各々の出力値のいずれか一方を予め定められた条件に従って選択する選択器と、
前記選択器による選択出力値を積分して前記ＲＦ基準レベルを生成する積分器と、を備えることを特徴とする請求項２記載のＲＦ受信装置。
【請求項５】
本ＲＦ受信装置内に実装される通信機能にて送信が行われた場合には、その送信中においては前記ＲＦ増幅手段及び前記ＩＦ増幅手段各々の増幅利得をその直前の利得に固定することを特徴とする請求項１又は２記載のＲＦ受信装置。
【発明の詳細な説明】
【技術分野】
【０００１】
本発明は、高周波増幅段のゲイン（増幅利得）制御を行う自動ゲイン制御機能を備えたＲＦ（高周波）受信装置に関する。
【背景技術】
【０００２】
自動ゲイン制御機能を備えた従来のＲＦ受信装置としては図１に示すように、ＲＦ可変ゲインアンプ１、ミキサ２、ＩＦ可変ゲインアンプ３、フィルタ４、ＡＤＣ（アナログ−ディジタル変換器）５、電力検出器６，７、及びＩＦゲイン制御器８を備えたＩＳＤＢ−Ｔ方式の地上ディジタル放送用のものがある。この図１のＲＦ受信装置と同様の構成を備えた受信装置は特許文献１及び２に示されている。
【０００３】
図１において、ＲＦ可変ゲインアンプ１はアンテナ（図示せず）からの入力ＲＦ（高周波）信号を増幅し、増幅利得の可変のためのゲイン制御端子を有している。ＲＦ可変ゲインアンプ１の出力ＲＦ信号はミキサ２に供給される。ミキサ２は供給されたＲＦ信号を図示しない局部発信器から生成された局発信号と混合してＩＦ（中間周波数）のＩＦ信号に変換し、そのＩＦ信号をＩＦ可変ゲインアンプ３に供給する。ＩＦ可変ゲインアンプ３はそのＩＦ信号を増幅し、増幅利得の可変のためのゲイン制御端子を有している。フィルタ４はＩＦ可変ゲインアンプ３の出力ＩＦ信号中の中間周波数成分のみを抽出する。ＡＤＣ５はフィルタ４の出力信号であるアナログＩＦ信号をディジタルＩＦ信号に変換して後段のＯＦＤＭ復調回路に供給する。
【０００４】
電力検出器６はミキサ２の出力ＩＦ信号の電力レベルを検出し、検出電力レベルを利得制御信号として発生してそれをＲＦ可変ゲインアンプ１のゲイン制御端子に供給する。ＲＦ可変ゲインアンプ１は利得制御信号に応じてＲＦ信号の増幅利得を変化させる。一方、電力検出器７はＡＤＣ５から出力されるディジタルＩＦ信号の電力レベルを検出し、その検出電力レベルをＩＦゲイン制御器８に供給する。ＩＦゲイン制御器８は検出電力レベルに応じて利得制御信号を発生してそれをＩＦ可変ゲインアンプ３のゲイン制御端子に供給する。ＩＦ可変ゲインアンプ３は利得制御信号に応じてＩＦ信号の増幅利得を変化させる。これらのＲＦ可変ゲインアンプ１及びＩＦ可変ゲインアンプ３各々の増幅利得の調整により、所望のチャンネルのＲＦ信号の受信時に復調回路に適切なレベルでＩＦ信号が供給されるようにしている。
【特許文献１】特開２００２−２９０１７８号公報
【特許文献２】特開２００７−０１９９００号公報
【発明の開示】
【発明が解決しようとする課題】
【０００５】
かかる従来のＲＦ受信装置においては、ＲＦ可変ゲインアンプ１の受信周波数帯には複数のチャンネル毎に放送波成分が存在し、そのうちのいずれか１が所望のチャンネルの放送波成分としてミキサ２によって選択される。所望のチャンネルの放送波成分は中間周波数を中心としている。図２(a)に示すように、ＲＦ可変ゲインアンプ１の受信周波数帯において、所望のチャンネルの放送波成分に隣接するチャンネルにも放送波成分が存在する場合には、図２(b)に示すように、ミキサ２の出力ＩＦ信号の周波数に対しては所望のチャンネル、すなわち中間周波数の放送波成分と、その近くに複数の隣接するチャンネルの放送波成分が存在することになる。それらの隣接の複数のチャンネルの放送波成分は電力検出器６の電力検出帯域に含まれるので、電力検出器６の検出電力レベルは電力検出帯域内の放送波成分各々の電力レベルが反映する。よって、受信電力レベルが高い放送波があるときでもＲＦ可変ゲインアンプ１の増幅利得は適正に制御される。一方、図３(a)に示すように、ＲＦ可変ゲインアンプ１の受信周波数帯において、所望のチャンネルの放送波信号に隣接しないで離れたチャンネルに放送波成分が存在する場合には、図３(b)に示すように、ミキサ２の出力ＩＦ信号の周波数に対しては所望のチャンネルの放送波成分から離れた電力検出器６の電力検出帯域外に複数の隣接するチャンネルの放送波成分が存在することになる。所望のチャンネルの放送波成分だけが電力検出器６の電力検出帯域に含まれるので、電力検出器６の検出電力レベルは所望のチャンネルの放送波成分のみの電力レベルを表すことになる。よって、ＲＦ可変ゲインアンプ１の増幅利得は所望のチャンネルの放送波成分のみの検出電力レベルに応じて制御されるので、所望のチャンネルから離れたチャンネルに放送波成分の受信信号電力が大きい場合にはその離れた受信信号電力によりＲＦ可変ゲインアンプ１は飽和し、所望のチャンネルの信号成分が歪んでしまい、受信特性が劣化する。
【０００６】
この問題を予め考慮してＲＦ可変ゲインアンプ１のゲイン制御を全体的に低めに設定すると、他のチャンネルが所望のチャンネルに隣接した場合に所望のチャンネル以外の電力もすべて含んだ電力検出を行うことから、後段のフィルタ４の通過後の所望のチャンネルの信号成分の電力が非常に小さくなり、復調に必要な信号振幅が得られない場合が生じる。
【０００７】
一方、ミキサ２の出力に代えてミキサ２の入力に電力検出器を設けた場合には、受信周波数帯に存在する全受信電力にてＲＦ可変ゲインアンプ１の利得が制御され、十分飽和しない領域であっても存在する他チャンネルの電力和が大きくなればなるほど、所望のチャンネルの増幅率は小さくなり、復調に必要な信号振幅が得られない場合が生じる。これを考慮してＲＦ可変ゲインアンプ１の利得制御を高めに設定した場合には、ミキサ２にて生じる飽和を検出することができないため意図していない飽和状態を作ってしまうことが生じ得る。
【０００８】
そこで、本発明の目的は、ＲＦ可変ゲインアンプ等の高周波増幅段の飽和を招くことなく所望のチャンネルの信号成分を適切なレベルに制御することができるＲＦ受信装置を提供することである。
【課題を解決するための手段】
【０００９】
本発明のＲＦ受信装置は、受信された高周波信号を増幅するＲＦ増幅手段と、前記ＲＦ増幅手段の出力高周波信号を中間周波数信号に変換する混合手段と、前記混合手段の出力中間周波数信号を増幅するＩＦ増幅手段と、前記ＲＦ増幅手段の出力高周波信号の信号レベルを検出する第１レベル検出手段と、前記混合手段の出力中間周波数信号の信号レベルを検出する第２レベル検出手段と、前記ＩＦ増幅手段によって増幅された中間周波数信号の信号レベルを検出する第３レベル検出手段と、前記第１及び第２レベル検出手段の検出信号レベルの少なくとも一方に基づいてＲＦ基準レベルを生成するＲＦ基準レベル生成手段と、前記第３レベル検出手段の検出信号レベルに応じた値が前記ＲＦ基準レベルに等しくなるように前記ＲＦ増幅手段の増幅利得を制御するＲＦゲイン制御手段と、を備えたことを特徴としている。
【発明の効果】
【００１０】
かかる本発明のＲＦ受信装置によれば、混合手段の入力側の信号レベルとその出力側の信号レベルとのいずれか一方が増加するとＲＦ増幅手段の増幅利得を低下させることができるので、所望のチャンネルから離れたチャンネルに放送波成分の受信信号電力が大きい場合でもその離れた受信信号電力によりＲＦ可変ゲインアンプ１の飽和を防止することができ、所望のチャンネルの信号成分を歪ませることなく、良好な受信特性を得ることができる。
【発明を実施するための最良の形態】
【００１１】
以下、本発明の実施例を図面を参照しつつ詳細に説明する。
【００１２】
図４は本発明の実施例としてＩＳＤＢ−Ｔ方式の地上ディジタル放送用のＲＦ受信装置を示している。このＲＦ受信装置は、ＲＦ可変ゲインアンプ１１、ミキサ１２、ＩＦ可変ゲインアンプ１３、フィルタ１４、ＡＤＣ１５、電力検出器１６，１７，１８、ＩＦゲイン制御器１９、ＲＦ基準レベル生成器２０及びＲＦゲイン制御器２１を備えている。
【００１３】
ＲＦ可変ゲインアンプ１１、ミキサ１２、ＩＦ可変ゲインアンプ１３、フィルタ１４及びＡＤＣ１５は、図１に示した従来装置のＲＦ可変ゲインアンプ１、ミキサ２、ＩＦ可変ゲインアンプ３、フィルタ４、ＡＤＣ５と同一である。
【００１４】
電力検出器１６は、ＲＦ可変ゲインアンプ１１の出力ＲＦ信号の電力レベルを検出し、検出電力レベルをＲＦ基準レベル生成器２０に供給する。電力検出器１７は、ミキサ１２の出力ＩＦ信号の電力レベルを検出し、検出電力レベルをＲＦ基準レベル生成器２０に供給する。電力検出器１８はＡＤＣ１５から出力されるディジタルＩＦ信号の電力レベルを検出し、その検出電力レベルをＩＦゲイン制御器１９に供給する。
【００１５】
ＩＦゲイン制御器１９は検出電力レベルに応じて利得制御信号を発生してそれをＩＦ可変ゲインアンプ１３のゲイン制御端子に供給する。ＩＦゲイン制御器１９は図５に示すように、比較器１９１、積分器１９２、制御値変換器１９３及び保持器１９４からなる。比較器１９１は検出電力レベルを基準レベルＲ１と比較し、検出電力レベルが基準レベルＲ１より小ときゲイン増加信号を生成し、検出電力レベルが基準レベルＲ１以上であるときゲイン減少信号を生成する。積分器１９２はゲイン増加信号を＋１とし、ゲイン減少信号を−１として比較器１９１の出力信号を所定周期で積分する。制御値変換器１９３は積分器１９２による積分結果の値をＩＦ可変ゲインアンプ１３用の制御値に変換することにより利得制御信号を発生する。例えば、ＩＦ可変ゲインアンプ１３の制御電圧範囲が０．５〜２．５Ｖ、制御量が２０ｄＢ/Ｖであり、積分器１９２の出力値範囲が０〜１２８である場合には、出力値０が制御電圧０．５Ｖに、出力値１２８が制御電圧２．５ＶになるようにＩＦ可変ゲインアンプ１３の利得制御ステップは０．３１２５ｄＢ/ステップ(40/128)とされる。
【００１６】
保持器１９４は、通常、制御値変換器１９３から出力される利得制御信号をＩＦ可変ゲインアンプ１３のゲイン制御端子に中継供給するスルー状態である。また、保持器１９４は、装置内の図示しない他の通信機能からオン制御信号が供給されると、その直前の利得制御信号を保持し、保持した利得制御信号をＩＦ可変ゲインアンプ１３のゲイン制御端子に供給する。他の通信機能が送信中にはオン制御信号に応じてＩＦ可変ゲインアンプ１３の利得がその直前の利得に固定される。
【００１７】
ＲＦ基準レベル生成器２０は、電力検出器１６，１７の各検出電力レベルに基づいてＲＦゲイン制御器２１の基準レベルＲ２を設定し、それによりＲＦ可変ゲインアンプ１１が飽和した状態にならないようにするものである。ＲＦ基準レベル生成器２０は、図６に示すように、第１及び第２増減判定器３１，３２、選択部３３及び積分器３４からなる。第１増減判定器３１は比較器３１１，３１３，３１４，３１６、カウンタ３１２，３１５、及び平均算出器３１７を備える。
【００１８】
比較器３１１は電力検出器１６の検出電力レベルと第１閾値ｔｈ１とを所定の周期ｎで比較する。検出電力レベルをＳ１とすると、比較器３１１はＳ１＞ｔｈ１のとき１を示す出力値Ｓ２を生成し、Ｓ１≦ｔｈ１のとき０を示す出力値Ｓ２を生成する。カウンタ３１２は所定の周期ｎで得られる比較器３１１の出力値Ｓ２を計数して所定の周期ｍで計数値Ｓ３を出力する。比較器３１３はカウンタ３１２の計数値Ｓ３と第２閾値ｔｈ２とを所定の周期ｍで比較する。比較器３１３はＳ３＞ｔｈ２のとき−１を示す出力値Ｓ４を生成し、Ｓ３≦ｔｈ２のとき＋１を示す出力値Ｓ４を生成する。所定の周期ｍは所定の周期ｎの整数倍である。
【００１９】
比較器３１４は電力検出器１６の検出電力レベルＳ１と第３閾値ｔｈ３とを所定の周期ｎで比較する。ここで、ｔｈ１＞ｔｈ３の関係がある。比較器３１４はＳ１＞ｔｈ３のとき１を示す出力値Ｓ５を生成し、Ｓ１≦ｔｈ３のとき０を示す出力値Ｓ５を生成する。カウンタ３１５は所定の周期ｎで得られる比較器３１４の出力値Ｓ５を計数して所定の周期ｍで計数値Ｓ６を出力する。比較器３１６はカウンタ３１５の計数値Ｓ６と第４閾値ｔｈ４とを所定の周期ｍで比較する。比較器３１６はＳ６＞ｔｈ４のとき−１を示す出力値Ｓ７を生成し、Ｓ６≦ｔｈ４のとき＋１を示す出力値Ｓ７を生成する。
【００２０】
平均算出器３１７は所定の周期ｍで比較器３１３の出力値Ｓ４と出力値Ｓ７との平均値(Ｓ４＋Ｓ７)／２を算出してそれを増減判定器３１の出力値Ｓ８として出力する。出力値Ｓ８は−１，０，＋１の３値をとる。出力値Ｓ８が−１であることはゲインを上げる要求であり、一方、＋１であることはゲインを下げる要求である。０は何もしない中立要求である。
【００２１】
上記の出力値Ｓ２〜Ｓ８を式として示すと次の通りである。なお、Ｎは任意の整数である。
【００２２】
【数１】
0004574687.tif 000002
【００２３】
第２増減判定器３２は、電力検出器１７の検出電力レベルが供給されることを除いて第１増減判定器３１と同一の構成を備えている。選択部３３は第１増減判定器３１の出力値と第２増減判定器３２の出力値とに応じて所定の周期ｍで選択値を出力する。選択値はその時点における第１増減判定器３１の出力値と第２増減判定器３２の出力値とのいずれか一方である。図７は第１増減判定器３１の出力値Ｓ８及び第２増減判定器３２の出力値Ｓ１０各々に対する選択部３３の出力値を示している。選択部３３の出力値においても−１であることはゲインを上げる要求であり、一方、＋１であることはゲインを下げる要求である。０は何もしない中立要求である。
【００２４】
積分器３４は所定の周期ｍで出力される選択部３３の出力値を積分する。積分器３４の積分結果である値が基準レベルＲ２であり、ＲＦ基準レベル生成器２０の出力としてＲＦゲイン制御器２１に供給される。
【００２５】
ＲＦゲイン制御器２１はＩＦゲイン制御器１９内の積分器１９２の出力値に応じて利得制御信号を発生してそれをＲＦ可変ゲインアンプ１１のゲイン制御端子に供給する。ＲＦゲイン制御器２１はＩＦゲイン制御器１９と同様に、図８に示すように、比較器２１１、積分器２１２、制御値変換器２１３及び保持器２１４から構成されている。比較器２１１には積分器１９２の出力値がＩＦ信号の検出電力レベルに基づいた値として供給され、一方、積分器３４の出力値が基準レベルＲ２として供給される。保持器２１４から利得制御信号がＲＦ可変ゲインアンプ１１のゲイン制御端子に供給される。
【００２６】
保持器２１４は、通常、制御値変換器２１３から出力される利得制御信号をＲＦ可変ゲインアンプ１１のゲイン制御端子に中継供給するスルー状態である。また、保持器２１４は、上記の他の通信機能からオン制御信号が供給されると、その直前の利得制御信号を保持し、保持した利得制御信号をＲＦ可変ゲインアンプ１１のゲイン制御端子に供給する。他の通信機能が送信中にはオン制御信号に応じてＲＦ可変ゲインアンプ１１の利得がその直前の利得に固定される。
【００２７】
かかる構成のＲＦ受信装置においては、ＡＤＣ１５から出力されるディジタルＩＦ信号の電力レベルが電力検出器１８によって検出される。電力検出器１８による検出電力レベルはＩＦゲイン制御器１９に供給される。ＩＦゲイン制御器１９においては、比較器１９１によって検出電力レベルと基準レベルＲ１とが比較され、その比較結果が積分器１９２によって積分され、更に、積分器１９２の出力値が制御値変換器１９３によって変換されることにより利得制御信号が生成される。利得制御信号は保持器１９４を介してＩＦ可変ゲインアンプ１３のゲイン制御端子に供給される。ＩＦ可変ゲインアンプ１３は利得制御信号に応じて利得を変化させるので、それによりＡＤＣ１５から出力されるディジタルＩＦ信号の電力レベルが調整される。このように第１のフィードバックループが形成されるので、このループによりディジタルＩＦ信号の電力レベルが比較器１９１の基準レベルＲ１に等しくなるように制御される。
【００２８】
更に、積分器１９２の出力値はＲＦゲイン制御器２１に供給される。ＲＦゲイン制御器２１においては、比較器２１１によって積分器１９２の出力値とＲＦ基準レベル生成器２０によって生成された基準レベルＲ２とが比較され、その比較結果が積分器２１２によって積分され、更に、積分器２１２の出力値が制御値変換器２１３によって変換されることにより利得制御信号が生成される。この利得制御信号は保持器２１４を介してＲＦ可変ゲインアンプ１１のゲイン制御端子に供給される。ＲＦ可変ゲインアンプ１１は利得制御信号に応じて利得を変化させるので、それによりＡＤＣ１５から出力されるディジタルＩＦ信号の電力レベルが調整される。このように第２のフィードバックループが形成される。この第２のフィードバックループのフィードバックゲインは第１のフィードバックループのフィードバックゲインより小さい。第２のフィードバックループにより、積分器１９２の出力値が基準レベルＲ２に等しくなるように、すなわちＩＦ可変ゲインアンプ１３のゲインが一定になるように制御される。
【００２９】
第２のフィードバックループにおいては、基準レベルＲ２はＲＦ基準レベル生成器２０によって生成される。ＲＦ基準レベル生成器２０は上記したように、ミキサ１２の入力側の電力レベルとその出力側の電力レベルとの双方又はいずれか一方に基づいて基準レベルＲ２を調整する。
【００３０】
ＲＦ可変ゲインアンプ１１が飽和状態になるようにＲＦ可変ゲインアンプ１１の出力電力レベルが増加してくると、ミキサ１２の入力側の電力レベルを検出する電力検出器１６のアナログ出力値Ｓ１が増加する。電力検出器１６の出力値Ｓ１の増加により比較器３１４の出力値Ｓ５（場合によっては比較器３１１の出力値Ｓ２の双方）が非飽和を示す０から飽和を示す１に反転する。これにより、比較器３１３の出力値Ｓ４及び比較器３１６の出力値Ｓ７の双方が１となると、増減判定器３１の出力値Ｓ８は＋１となる。ミキサ１２の出力側の電力レベルを検出する電力検出器１７のアナログ出力値Ｓ９が上昇する場合には、同様の動作により増減判定器３２の出力値Ｓ９は＋１となる。
【００３１】
一方、ＲＦ可変ゲインアンプ１１の出力電力レベルが低下してくると、電力検出器１６のアナログ出力値Ｓ１が低下する。電力検出器１６の出力値Ｓ１の低下により比較器３１４の出力値Ｓ５（場合によっては比較器３１１の出力値Ｓ２の双方）が非飽和を示す０となる。これにより、比較器３１３の出力値Ｓ４及び比較器３１６の出力値Ｓ７の双方が０となると、増減判定器３１の出力値Ｓ８は０又は−１となる。電力検出器１７のアナログ出力値Ｓ９が低下する場合には、同様の動作により増減判定器３２の出力値Ｓ１０は０又は−１となる。
【００３２】
図７から分かるように、増減判定器３１の出力値Ｓ８が＋１のとき、又は増減判定器３１の出力値Ｓ８が０でかつ増減判定器３２の出力値Ｓ１０が＋１となるときには、選択器３３の出力値が＋１となる。＋１はゲインを下げる要求であるので、積分器３４の積分結果の値、すなわち基準レベルＲ２が減少する。基準レベルＲ２の減少に応じてＲＦゲイン制御器２１の利得制御信号はＲＦ可変ゲインアンプ１１のゲインを低下させることになる。
【００３３】
増減判定器３１の出力値Ｓ８が−１のとき、又は増減判定器３１の出力値Ｓ８が０でかつ増減判定器３２の出力値Ｓ１０が−１となるときには、選択器３３の出力値が−１となる。−１はゲインを上げる要求であるので、積分器３４の積分結果の値、すなわち基準レベルＲ２が増加する。基準レベルＲ２の増加に応じてＲＦゲイン制御器２１の利得制御信号はＲＦ可変ゲインアンプ１１のゲインを増加させることになる。
【００３４】
図９(a)に示すように、ＲＦ可変ゲインアンプ１１の受信周波数帯において、所望のチャンネルの放送波信号に隣接するチャンネルにも放送波成分が存在する場合には、図９(b)に示すように、ミキサ１２の出力ＩＦ信号の周波数に対しては所望のチャンネル、すなわち中間周波数の放送波成分と、その近くに複数の隣接するチャンネルの放送波成分が存在することになる。ミキサ１２の入力側の電力レベルを検出する電力検出器１６の電力検出周波数帯に所望のチャンネルの放送波成分及びそれに隣接するチャンネルにも放送波成分が含まれる。また、ミキサ１２の出力側の電力レベルを検出する電力検出器１７の電力検出周波数帯にそれら所望のチャンネルの放送波成分及びそれに隣接するチャンネルにも放送波成分がほとんど含まれる。よって、受信電力レベルが高い放送波が隣接のチャンネルにあるときでもＲＦ可変ゲインアンプ１の増幅利得は適正に制御される。
【００３５】
一方、図１０(a)に示すように、ＲＦ可変ゲインアンプ１１の受信周波数帯において、所望のチャンネルの放送波信号に隣接しないで離れたチャンネルに放送波成分が存在する場合には、図１０(b)に示すように、ミキサ１２の出力ＩＦ信号の周波数に対しては所望のチャンネルの放送波成分から離れた電力検出器１７の電力検出帯域外に複数の隣接するチャンネルの放送波成分が存在することになるが、電力検出器１６の電力検出周波数帯にそれら所望のチャンネルの放送波成分及びそれに隣接するチャンネルにも放送波成分が含まれる。よって、少なくとも電力検出器１６の出力値Ｓ１の増加に基づいて増減判定器３１の出力値Ｓ８が＋１となり、基準レベルＲ２が減少するので、ＲＦ可変ゲインアンプ１１のゲインを低下させることになる。この結果、所望のチャンネルから離れたチャンネルに放送波成分の受信信号電力が大きい場合でもその離れた受信信号電力によりＲＦ可変ゲインアンプ１の飽和を防止することができ、所望のチャンネルの信号成分を歪ませることなく、良好な受信特性を得ることができる。
【００３６】
なお、上記した実施例においては、第１ないし第３レベル検出手段として電力検出器が用いられているが、信号の振幅レベルを検出する電圧検出器を用いても良い。
【図面の簡単な説明】
【００３７】
【図１】従来のＲＦ受信装置を示すブロック図である。
【図２】所望のチャンネルの放送波成分とそれに隣接するその他のチャンネルの放送波成分の受信周波数とミキサ出力周波数との関係を示す図である。
【図３】所望のチャンネルの放送波成分とそれから離れたその他のチャンネルの放送波成分の受信周波数とミキサ出力周波数との関係を示す図である。
【図４】本発明の実施例を示すブロック図である。
【図５】図４のＲＦ受信装置内のＩＦゲイン制御器の構成を示すブロック図である。
【図６】図４のＲＦ受信装置内のＲＦ基準レベル生成器の構成を示すブロック図である。
【図７】選択器の出力値のテーブルを示す図である。
【図８】図４のＲＦ受信装置内のＲＦゲイン制御器の構成を示すブロック図である。
【図９】図４のＲＦ受信装置の場合の所望のチャンネルの放送波成分とそれに隣接するその他のチャンネルの放送波成分の受信周波数とミキサ出力周波数との関係を示す図である。
【図１０】図４のＲＦ受信装置の場合の所望のチャンネルの放送波成分とそれから離れたその他のチャンネルの放送波成分の受信周波数とミキサ出力周波数との関係を示す図である。
【符号の説明】
【００３８】
１，１１  ＲＦ可変ゲインアンプ
２，１２  ミキサ
３，１３  ＩＦ可変ゲインアンプ
６，７，１６，１７，１８  電力検出器
８，１９  ＩＦゲイン制御器
２０  ＲＦ基準レベル生成器
２１  ＲＦゲイン制御器
【図１】
0004574687.tif 000003
【図２】
0004574687.tif 000004
【図３】
0004574687.tif 000005
【図４】
0004574687.tif 000006
【図５】
0004574687.tif 000007
【図６】
0004574687.tif 000008
【図７】
0004574687.tif 000009
【図８】
0004574687.tif 000010
【図９】
0004574687.tif 000011
【図１０】
0004574687.tif 000012